(57)【特許請求の範囲】
【請求項１】
被加工材に所定の作業をおこなう工具ビットが取り付けられる本体部と、
該本体部に接続されて前記工具ビットを駆動するための駆動電流を供給するバッテリユニットと、
前記工具ビットによる作業箇所を照光する照光手段を収容したライトケースと、を有するバッテリ駆動式電動工具であって、
前記バッテリユニットには、前記ライトケースを収容する収容スペースが形成され、
前記ライトケースは、該ライトケースの前記バッテリユニットへの取り付け部を回動中心として前記収容スペース内で傾動することにより、異なる長さの工具ビットが前記本体部に取り付けられた場合に対応して複数の作業箇所を照光可能に構成され、
前記収容スペース内で傾動する前記ライトケースと前記バッテリユニットとの間に形成される空間部につき、該空間部を遮蔽する遮蔽カバーが配置され、
前記遮蔽カバーは、伸縮自在な蛇腹状部分、クリップ状のライトケース取付部、およびバッテリユニット取付部を有し、前記蛇腹状部分で前記空間部を遮蔽するように前記ライトケースと前記バッテリユニット間に装着されていることを特徴とするバッテリ駆動式電動工具。
【請求項２】
請求項１に記載のバッテリ駆動式電動工具であって、前記本体部は、前記工具ビットが取り付けられるとともに、該工具ビットに回転トルクを付与するモータを収容したモータハウジングと、上端側が該モータハウジングに接続されたハンドグリップとを有し、
前記バッテリユニットは、前記ハンドグリップの下端側に着脱自在に接続され、
前記ライトケースは、前記工具ビットに向かう前記バッテリユニット側面に形成された収容スペース内に傾動自在に収容されることを特徴とするバッテリ駆動式電動工具。
【請求項３】
請求項１または２に記載のバッテリ駆動式電動工具であって、前記ライトケースは、さらに前記照光手段の制御基板および通電スイッチを収容していることを特徴とするバッテリ駆動式電動工具。
【請求項４】
請求項１から３までのいずれかに記載のバッテリ駆動式電動工具であって、前記ライトケースを所定の傾動箇所で係脱自在に保持するための係止手段を有することを特徴とするバッテリ駆動式電動工具。
【発明の詳細な説明】
【０００１】
【発明の属する技術分野】
本発明は、工具ビットによる作業箇所の照光手段を備えたバッテリ駆動式電動工具に関する。
【０００２】
【従来の技術】
例えば特開平１０−３４５６５号公報に照光手段を備えた電動工具の構成が開示されている。これによれば、本体部とハンドグリップを有する電動工具において、ハンドグリップの下端にバッテリユニットが装着されるとともに、該バッテリユニットの下部に照光手段が取り付けられる構成が開示されている。この従来の電動工具では、照光手段は、バッテリユニットの下端前面側の取り付け部を回動中心として、格納位置および使用位置との間を回動可能に構成されている。格納位置はバッテリユニットの底部に形成された凹部として設定されている。さらに照光手段は、適宜保持手段を利用して任意の回動角度で停止保持されることにより、長さを異にする工具ビットの先端を照明することが可能とされている。
【０００３】
上記した従来の照光手段付き電動工具では、異なる照光位置に対応することが可能な構成が得られるものの、使用中の照光手段がバッテリユニットから外方に突出した形状となっているため、作業中に電動工具を不用意にぶつける等して、照光手段、あるいは照光手段とバッテリユニット間の取り付け箇所を破損し易いという耐久性の問題がある。また一般に電動工具による作業では切り粉等の粉塵が発生しやすいため、照光手段を設定する際には、該照光手段の電動工具への設置箇所における防塵対策にも留意する必要がある。かといって、これらの問題を一挙に解決しようとして照光手段をバッテリユニットに埋設する構成にすると、照光手段をバッテリユニット内に固定状に設置する構成となり、異なる照光位置への対応が困難となってしまう。
【０００４】
【発明が解決しようとする課題】
本発明は、かかる点に鑑みてなされたものであり、バッテリ駆動式電動工具において、異なる照光位置に対応することが可能であるとともに、耐久性や防塵性に優れた照光技術を提供することを目的とする。
【０００５】
【課題を解決するための手段】
上記課題を達成するため、各請求項記載の発明が構成される。
請求項１に記載の発明によれば、本体部と、バッテリユニットとライトケースとを有するバッテリ駆動式電動工具が構成される。本体部には、被加工材に所定の作業をおこなう工具ビットが取り付けられる。バッテリユニットは、本体部に接続され、工具ビットを駆動するための駆動電流を供給する。ライトケースには、工具ビットによる作業箇所を照光する照光手段を収容する。
【０００６】
「被加工材に所定の作業をおこなう工具ビット」としては、バッテリ式のドリル・ノコ・グラインダ・インパクトドライバ・インパクトレンチ・カッタ・トリマ・丸鋸・レシプロソー等に用いられるものが広く包含される。また「バッテリ」としては典型的には充電式蓄電池が該当する。ライトケースは後述するように照光手段保護の見地より硬質プラスチック等のハードケースによって構成するのが好ましい。
【０００７】
上記したバッテリユニットには、ライトケースを収容する収容スペースが形成される。「ライトケースを収容」する形態としては、ライトケースの全部が収容される形態ないし一部が収容される形態が包含される。また「収容スペース」は、ライトケースを収容する領域が確保されていれば足りる趣旨であり、収容スペースを閉じた空間として形成する形態、あるいはスペースの一部または大部分が外に向かって開口した形態も広く包含される。
【０００８】
ライトケースは、該ライトケースの前記バッテリユニットへの取り付け部を回動中心として前記収容スペース内で傾動可能とされている。収容スペース内で傾動することにより、ライトケースは、コンパクトな構造にもかかわらず、異なる長さの工具ビットが前記本体部に取り付けられた場合に対応して複数の作業箇所を効率よく照光することができる。「収容スペース内で傾動」とは、ライトケースがバッテリユニットの収容スペースに収容された状態を維持しつつ傾動する態様を広く含む趣旨であり、ライトケースの全ての部分が収容スペースの内部に収容された状態で傾動する形態や、ライトケースの一部が収容スペース内に収容されつつ傾動する形態が広く包含される。また「異なる長さの工具ビット」としては、同種ではあるが寸法が異なる工具ビットはもちろん、異なる種類の工具ビットであって電動工具取り付け時に工具先端までの長さが異なる場合も広く包含される。なお十分な傾動角を確保し、多数の照光位置に対応するべく、回動中心はライトケースの下端側に設定するのが好ましい。
【０００９】
上記のように構成するライトケースは、バッテリユニットに形成された収容スペース内で傾動し複数の作業箇所に対応した照光が可能となるので、長さの異なる工具ビットを本体部に取り付ける場合における照光利便性が確保される。さらに異なる作業箇所に対応するべくライトケースを傾動する場合、当該傾動動作はバッテリユニットに形成された収容スペースを拠点に行われるため、照光手段をライトケースのみならずバッテリユニット外郭によって保護することが可能となり、しかもバッテリユニットへのライトケース取り付け部を収容スペース内に設定した場合には、当該ライトケース取り付け部自体を外力から有効に保護することができる。これにより、作業中に照光手段（ないしライトケース）を不用意にぶつけて破損するリスクを低減することが可能となる。また、照光手段をライトケースに収容する構成としたため、作業中に発生する切り粉等の粉塵に対する照光手段の防塵性を向上することが可能となった。
また本発明においては、収容スペース内で傾動するライトケースとバッテリユニットとの間に形成される空間部につき、該空間部を遮蔽する遮蔽カバーを配置している。このように構成することで作業時に発生する塵埃等がバッテリユニットとライトケースの間に形成される空間部に侵入し機材の作動等に悪影響を及ぼすリスクを極力低減することが可能となる。
【００１０】
（請求項２に記載の発明）
上記バッテリ駆動式電動工具の本体部につき、工具ビットが取り付けられるとともに工具ビットに回転トルクを付与するモータを収容したモータハウジングと、上端側が該モータハウジングに接続されたハンドグリップとを有する構成とするのが好ましい。またバッテリユニットにつき、ハンドグリップの下端側に着脱自在に接続するのが好ましい。この場合「ハンドグリップの下端側」とは、ハンドグリップの下端そのものである必要はなく、ハンドグリップの下方側領域を広く包含する趣旨である。そしてライトケースは、工具ビットに向かうバッテリユニット側面に形成された収容スペース内に傾動自在に収容されるよう構成するのが好ましい。このように構成することで、例えばバッテリ駆動式の電動スクリュードライバ、インパクトドライバ、インパクトレンチ等のようにモータハウジングとハンドグリップとが交差状に連接される形状の電動工具につき、複数の作業箇所を照光することが可能であるとともに、照光手段ないしライトケースの耐久性および防塵性を確保した合理的な構成が得られる。
【００１１】
（請求項３に記載の発明）
またライトケースにつき、さらに前記照光手段の制御基板および通電スイッチを収容する構成とするのが好ましい。これにより照光手段を作動させるための各種機材をライトケース内に一括して収容し外部に露出する部分を極力減少できるので防塵性を一層向上することが可能となる。
【００１２】
（請求項４に記載の発明）
さらに上記バッテリ駆動式電動工具において、ライトケースを所定の傾動箇所で係脱自在に保持するための係止手段を設定する構成を採用するのが好ましい。このように構成することで、ライトケースがバッテリユニットの収容スペース内で傾動する際に、係止手段を用いてライトケースを任意の傾動位置、すなわち任意の照光角度位置に保持することができるため、作業時の照光角度調整の利便性が向上することとなる。
【００１３】
【発明の実施の形態】
以下、本発明の実施の形態である電動スクリュードライバ１００につき、図面を参照しつつ、詳細に説明する。
図１に、本実施の形態である電動スクリュードライバ１００が示される。電動スクリュードライバ１００は、モータハウジング１０３とハンドグリップ１０５からなる本体部１０１と、バッテリユニット１２１とを主体として構成される。モータハウジング１０３内には、モータ１０７、減速機構部１０８、スピンドル１０９が収納され、さらにスピンドル１０９の先端部にはビット取付用チャック１１１およびドライバビット１１３が配される。ドライバビット１１３は本発明における「工具ビット」の一例である。
【００１４】
ビット取付用チャック１１１には、長さの異なる（あるいは異なる種類の）ドライバビット１１３が取り付け可能とされている。図１では短寸法のドライバビット１１３が符号１１３Ｓで、長寸法のドライバビット１１３が符号１１３Ｌで示されている。またハンドグリップ１０５の上端側にはトリガースイッチ１１５が設けられ、下端側にはバッテリユニット１２１が取り付けられる。
【００１５】
本実施の形態にかかるバッテリユニット１２１の全体構成が図２から図４に示される。バッテリユニット１２１は、モータ１０７（図１参照）を駆動するためのバッテリ１２３を収容するとともに、フック１２２を介してハンドグリップ１０５下端部に着脱自在に係止保持される。
【００１６】
バッテリユニット１２１は、図１に示すドライバビット１１３に向かう側の側面部（図２において左側側面部）に、ライトケース収容部１２５を有する。図３に示すように、バッテリユニット１２１からの一対の突出片によって構成されるライトケース収容部１２５内には、上下方向および前方（図３中左方向）に開口したライトケース収容スペース１２５ａが形成され、このライトケース収容スペース１２５ａにライトケース１４１が収容される。
【００１７】
ライトケース１４１の側面部が図５に示される。ライトケース１４１は、外側および内側ケース構成部材１４１ａ，１４１ｂを重ね合わせることで形成された密閉状の内部空間を有し、この内部空間に、ＬＥＤ１４３および制御基板１４５が配置されている。制御基板１４５は、電線ハーネス１４６によって照光用電源（本実施の形態ではバッテリ１２３）に電気的に接続される。ＬＥＤ１４３は、ツェナーダイオード１４４を介して制御基板１４５に接続されるとともに、スイッチ１４７のＯＮ／ＯＦＦに基づいて照光制御される。スイッチ１４７は軟性ゴム材１４７ａで覆蓋された防塵・防滴構造とされ、ライトケース１４１の防塵性を確保する。ＬＥＤ１４３ないし当該ＬＥＤ１４３の照光制御を行うための部材は、本発明における「照光手段」に対応している。
【００１８】
さて上記のように構成されたライトケース１４１は、図２および図３に示すように、ライトケース収容部１２５内のライトケース収容スペース１２５ａにおいて、取付部１４２を介してバッテリーユニット１２１に取付けられる。さらにライトケース１４１は当該取付部１４２を回転中心として、ライトケース収容部１２５内（ライトケース収容スペース１２５ａ）において傾動可能とされている。図２に示すライトケース１４１では、ＬＥＤ１４３が短寸法のドライバビット１１３Ｓ（図１参照）先端のねじ締付作業箇所を照光するように設定され、図４では、ライトケース１４１が傾動して、ＬＥＤ１４３が長寸法のドライバビット１１３Ｌ（図１参照）先端のねじ締付作業箇所を照光するように設定される。
【００１９】
図４によく示されるように、ライトケース収容部１２５のライトケース１４１に向かう側部には、多数の段差部１７５が形成される、さらにライトケース１４１の両側部からは、当該段差部１７５に係止可能な突起部１７３が突出形成されている。この段差部１７５に突起部１７３が適宜係合することにより、ライトケース１４１は、傾動動作の途中、複数の傾斜位置において多段階的に係止保持可能とされる。すなわちライトケース１４１（ＬＥＤ１４３）は、図２に示す短寸法のドライバビット１１３Ｓを照光する位置と、図４に示す長寸法のドライバビット１１３Ｌを照光する位置との間で、多段階的に照射位置設定が可能とされている。もちろん係止保持位置の数は、段差部１７５の数によって適宜調整可能である。
【００２０】
またライトケース収容部１２５において、傾動動作するライトケース１４１と、バッテリユニット１２１との間には遮蔽カバー１６１が設けられ、バッテリユニット１２１、ライトケース１４１および遮蔽カバー１６１で囲まれる空間１６２の防塵性を確保している。
【００２１】
遮蔽カバー１６１の構造が図６に示される。遮蔽カバー１６１は、伸縮自在とされた蛇腹状部分１６３、クリップ状のライトケース取付部１６５およびバッテリユニット取付部１６７を主体として構成される。そして図４に示すように、ライトケース１４１が取付部１４２を中心に傾動した場合、蛇腹状部分１６３は当該傾動動作に応じて伸延し、空間部１６２の防塵性を維持する。
【００２２】
次に本実施の形態たる電動スクリュードライバ１００の作用について説明する。作業者が図１に示すトリガスイッチ１１５を操作すると、モータ１０７はバッテリユニット１２１に収容されたバッテリ１２３より駆動電流を供給されて回転駆動される。モータ１２１の回転運動は、減速機構部１０８において減速されつつスピンドル１０９へ伝達される。スピンドル１０９が回転駆動されることにより、スピンドル１０９先端のビット取付用チャック１１１に取り付けられたドライバビット１１３（１１３Ｓないし１１３Ｌ）が回転駆動され、これによって被加工材に対するネジ締付作業が遂行される。
【００２３】
電動スクリュードライバ１０１を使用するにあたり、ドライバビット１１３先端のねじ締付作業箇所を照光しようとする場合、使用しているドライバビット１１３の異なる長さ寸法（ないし種類）に応じて、照光方向を適宜調節する必要が生じてくる。本実施の形態では、バッテリユニット１２１のライトケース収容部１２５内に配置されたライトケース１４１を適宜傾動させることで、異なる長さ寸法のドライバビット１１３に対応した適切な照光を実現している。
【００２４】
比較的短寸法のドライバビット１１３Ｓを照光する場合、図２に示すように、ライトケース１４１をバッテリユニット１２１に近接するように傾動操作し、ＬＥＤ１４３がドライバビット１１３Ｓ方向を照光するようにする。このとき、ライトケース１４１は、当接箇所１８１においてバッテリユニット１２１と面接触する。従って、照光のための位置決めが容易に行えるとともに、ライトケース収容部１２５内でライトケース１４１を安定的に支持することが可能となる。
【００２５】
一方、比較的長寸法のドライバビット１１３Ｌを照光する場合、図２に示す状態のライトケース１４１を、取付部１４２を中心として傾動させて図４に示す位置に設定する。ライトケース１４１がバッテリユニット１２１から離間する方向に傾動することで、ＬＥＤ１４３は長寸法のドライバビット１１３に向いて照光可能となる。このとき、遮蔽カバー１６１の蛇腹状部分１６３は、ライトケース１４１の傾動に合わせて伸延するため、バッテリユニット１２１とライトケース１４１の間に形成される空間部１６２の防塵性は良好に維持される。
【００２６】
また図４に示す状態では、ライトケース１４１は当接箇所１８２ａ，１８２ｂにおいてバッテリユニット１２１と面接触する。これによって、位置決めの容易化およびライトケース収容部１２５におけるライトケース１４１の安定的支持が可能となる。
【００２７】
さらに図２に示す短寸法のドライバビット１１３Ｓよりも長く、図４に示す長寸法のドライバビット１１３Ｌよりも短い寸法のドライバビット１１３を照光する場合には、ライトケース１４１側面の突起部１７３を、ライトケース収容部１２５に形成された多数の段差部１７５に適宜係合させることにより、ＬＥＤ１４３が所望の方向を向くように、ライトケース１４１を安定的に係止保持し、位置決めすることができる。
【００２８】
本発明の実施の形態によれば、ライトケース１４１がバッテリユニット１２１に形成されたライトケース収容部１２５内で傾動し、複数の照光方向を確保することが可能となるので、長さの異なるドライバビット１１３を用いて作業する場合の照光利便性が確保される。また照光用のＬＥＤ１４３がライトケース１４１に収容されて操作されるためＬＥＤ１４３の耐久性を向上できる。
【００２９】
さらにライトケース１４１の傾動操作は、ライトケース収容部１２５内のスペース１２５ａにて行われるため、ライトケース１４１が取り付けられたバッテリユニット１２１全体の意匠性を向上するとともに、照光手段たるＬＥＤ１４３およびその制御基板１４５等をライトケース１４１のみならずバッテリユニット１２１外郭によって保護することが可能となる。またライトケース１４１を傾動させる取付部１４２がライトケース収容部１２５の内側に設定されているので、ライトケース１４１の取り付け箇所を外力から有効に保護することができる。
【００３０】
また、ＬＥＤ１４３およびその制御基板１４５およびスイッチ１４７をライトケース１４１に収容する構成としたため、作業中に発生する切り粉等の粉塵に対する防塵性を向上することが可能となった。さらに傾動するライトケース１４１とバッテリユニット１２１との間の空間部１６３が、ライトケース１４１の傾動位置を問わず遮蔽カバー１６１によって遮蔽されるので、ライトケース１４１取付部周辺領域の高防塵性を確保することが可能となった。このように防塵性を向上することにより、粉塵による照度低下、ライトケース１４１傾動動作の阻害、電装品の損傷といった問題を未然に防止することが可能である。
【００３１】
本実施の形態は一例として電動スクリュードライバ１００を用いて説明したが、これを他のバッテリ駆動式電動工具構成することができる。またライトケース１４１の係止保持につき、ライトケース１４１側に段差部１７５を形成し、ライトケース収容部１２５側に段差部１７５と係合する突起部１７３を形成してもよい。
【００３２】
【発明の効果】
本発明によれば、バッテリ駆動式電動工具において、異なる照光位置に対応することが可能であるとともに、耐久性や防塵性に優れた照光技術が提供されることとなった。
【図面の簡単な説明】
【図１】  本発明の実施の形態である電動スクリュードライバの全体構成を示す図である。
【図２】  本実施の形態に用いられるバッテリユニットの全体構成を示す図である。
【図３】  図２に示すバッテリユニットの平面図である。
【図４】  本実施の形態に係るバッテリユニットにおいて、ライトケースを傾動した状態を示す。
【図５】  本実施の形態に用いられるライトケースの内部構造を示す図である。
【図６】  本実施の形態に用いられる遮蔽カバーの詳細構造を示す図である。
【符号の説明】
１００  電動スクリュードライバ
１０１  本体部
１０３  モータハウジング
１０５  ハンドグリップ
１１３  ドライバビット
１２１  バッテリユニット
１２２  フック
１２３  バッテリ
１２５  ライトケース収容スペース
１４１  ライトケース
１４２  取付部
１４３  ＬＥＤ
１４５  制御基盤
１４７  通電スイッチ
１６１  遮蔽カバー
１６３  蛇腹状部分
１７３  突起部
１７５  段差部
【図１】
0003936601.tif 000002
【図２】
0003936601.tif 000003
【図３】
0003936601.tif 000004
【図４】
0003936601.tif 000005
【図５】
0003936601.tif 000006
【図６】
0003936601.tif 000007